(57)【要約】【課題】  光ディスクに予め設けられたウォブルの有無を検出することなく、ディスク記録再生装置にローディングされた光ディスクの種類を短時間で判別することができるようにする。【解決手段】  光ディスクがディスク記録再生装置にローディングされたとき、光ピックアップを光ディスクの最内周に移動させた後、光ピックアップを光ディスクの最内周から外周方向に一定距離移動させて、光ピックアップにより光ディスクの最内周から外周方向に一定距離移動した位置の位置情報を読み出し、読み出された位置情報に基づいてディスク記録再生装置にローディングされた光ディスクの種類を判別するようにする。【選択図】        図２
2005158180.tif 000002
【特許請求の範囲】
【請求項１】
映像音声信号を光ディスクに記録再生するディスク記録再生装置であって、
映像音声信号を光ディスクに記録再生する光ピックアップと、前記光ピックアップを光ディスクの半径方向に移動させる移動手段と、光ディスクがディスク記録再生装置にローディングされたとき、前記移動手段により前記光ピックアップを光ディスクの最内周に移動させた後、前記光ピックアップを光ディスクの最内周から外周方向に一定距離移動させて、前記光ピックアップにより光ディスクの最内周から外周方向に一定距離移動した位置の位置情報を読み出す読出手段と、前記読出手段により位置情報が読み出された場合、ディスク記録再生装置にローディングされた光ディスクが記録再生用の光ディスクであると判別し、前記読出手段により位置情報が読み出されない場合、ディスク記録再生装置にローディングされた光ディスクが再生専用の光ディスクであると判別するとともに、前記読出手段により読み出された位置情報が所定の光ディスクの所定の位置情報であるか否かを判別して、ディスク記録再生装置にローディングされた光ディスクの種類を判別する判別手段であることを特徴とするディスク記録再生装置。
【請求項２】
映像音声信号を光ディスクに記録再生するディスク記録再生装置であって、
映像音声信号を光ディスクに記録再生する光ピックアップと、前記光ピックアップを光ディスクの半径方向に移動させる移動手段と、光ディスクがディスク記録再生装置にローディングされたとき、前記移動手段により前記光ピックアップを光ディスクの最内周に移動させた後、前記光ピックアップを光ディスクの最内周から外周方向に一定距離移動させて、前記光ピックアップにより光ディスクの最内周から外周方向に一定距離移動した位置の位置情報を読み出す読出手段と、前記読出手段により読み出された位置情報に基づいてディスク記録再生装置にローディングされた光ディスクの種類を判別する判別手段とを備えたことを特徴とするディスク記録再生装置。
【請求項３】
前記判別手段は、前記読出手段により位置情報が読み出された場合、ディスク記録再生装置にローディングされた光ディスクが記録再生用の光ディスクであると判別する判別手段であることを特徴とする請求項２記載のディスク記録再生装置。
【請求項４】
前記判別手段は、前記読出手段により位置情報が読み出されない場合、ディスク記録再生装置にローディングされた光ディスクが再生専用の光ディスクであると判別する判別手段であることを特徴とする請求項２記載のディスク記録再生装置。
【請求項５】
前記判別手段は、前記読出手段により読み出された位置情報が所定の光ディスクの所定の位置情報であるか否かを判別して、ディスク記録再生装置にローディングされた光ディスクの種類を判別する判別手段であることを特徴とする請求項２記載のディスク記録再生装置。
【発明の詳細な説明】
【技術分野】
【０００１】
本発明は、書き換え可能な記録再生用のＤＶＤ−ＲＷ（Ｄｉｇｉｔａｌ  Ｖｅｒｓａｔｉｌｅ  Ｄｉｓｋ−ＲｅＷｒｉｔａｂｌｅ）、書き込み可能な記録再生用のＤＶＤ−Ｒ（ＤＶＤ−Ｒｅｃｏｒｄａｂｌｅ）、再生専用のＤＶＤ−ＲＯＭ（ＤＶＤ−Ｒｅａｄ  Ｏｎｌｙ  Ｍｅｍｏｒｙ）、書き換え可能な記録再生用のＣＤ−ＲＷ（Ｃｏｍｐａｃｔ  Ｄｉｓｋ−ＲｅＷｒｉｔａｂｌｅ）、書き込み可能な記録再生用のＣＤ−Ｒ（ＣＤ−Ｒｅｃｏｒｄａｂｌｅ）、再生専用のＣＤ−ＲＯＭ（ＣＤ−Ｒｅａｄ  Ｏｎｌｙ  Ｍｅｍｏｒｙ）等の光ディスクを記録／再生するディスク記録再生装置に係り、特にディスク記録再生装置にローディングされた光ディスクの種類を短時間で判断することができるディスク記録再生装置に関する。
【背景技術】
【０００２】
最近では、ＤＶＤ、ＣＤ等の光ディスクは、再生専用の光ディスクのみならず記録再生用の光ディスクも販売されている。記録再生用の光ディスクは、再生専用の光ディスクとは異なり、映像音声信号が記録されていない光ディスクであっても、光ディスクに予め位置情報が記録されている。また、光ピックアップを記録すべき光ディスクの位置に追従させることができるように、図４に示すように、記録再生用の光ディスク２にはグルーブと呼ばれるトラックＡとランドと呼ばれるトラックＢが予め設けられていて、グルーブＡはウォブルＣと呼ばれる一定の振幅、空間周波数でうねっていて、このウォブルＣの一定のうねり毎に光ディスクの位置情報を示す細溝のランドプリピットＤがランドＢに配置されている。ウォブルＣは、光ディスクを一定の線速度で回転させるスピンドルモータの制御用信号とランドプリピットＤを検出するためのゲート信号とを生成するために利用され、ランドプリピットＤは、データ記録時の高精度位置決めと位置情報やその他の記録に必要な情報の取得するために利用される。光ディスクの種類を判別する１つの方法としては、一定の振幅、空間周波数でうねっているウォブルＣを光ピックアップによりトラッキングすることにより生成される周期信号の有無を判別して、光ディスクの種類を判別する方法が考えられる。しかし、ウォブルＣを光ピックアップによりトラッキングすることにより生成される周期信号は微小な信号であるため、検出された周期信号がウォブルによるものであるかノイズによるものであるかを比較的長い時間をかけて識別しなければならず、光ディスクの種類を短時間で判別することができないという問題点があった。
背景技術としては、光ディスクのトラック案内溝に含まれるディスク回転制御用の周期信号の有無を検出して、ディスク回転制御用の周期信号が検出された場合、記録再生用の光ディスクと判断し、周期信号が検出されない場合、再生専用の光ディスクと判断し、リードインエリアに記録されたアドレス情報が検出された場合、記録済の記録再生用の光ディスクと判断し、リードインエリアに記録されたアドレス情報が検出されない場合、プログラムメモリエリアにアドレス情報が記録されているか否かにより、途中まで記録された記録再生用の光ディスクか未記録の記録再生用の光ディスクかを区別するようにしたものがあった（例えば、特許文献１参照）。
また、光ディスクに記録されている情報を読み出す光ピックアップを光ディスクの半径方向に一定距離だけ移動させて、光ピックアップにより得られた再生信号からトラッキング誤差信号を生成し、トラッキング誤差信号の個数をカウントして、カウントされたトラッキング誤差信号の個数に基づいて光ディスクの種類を判別するようにしたものがあった（例えば、特許文献２参照）。
【特許文献１】特開平４−１８８４６４号公報
【特許文献２】特開平１１−１１０８９２号公報
【発明の開示】
【発明が解決しようとする課題】
【０００３】
しかしながら、背景技術で述べたもののうち前者においては、光ディスクのトラック案内溝に含まれるディスク回転制御用の周期信号の有無を検出して、ディスク回転制御用の周期信号が検出された場合、記録再生用の光ディスクと判断し、周期信号が検出されない場合、再生専用の光ディスクと判断し、リードインエリアに記録されたアドレス情報が検出された場合、記録済の記録再生用の光ディスクと判断し、リードインエリアに記録されたアドレス情報が検出されない場合、プログラムメモリエリアにアドレス情報が記録されているか否かにより、途中まで記録された記録再生用の光ディスクか未記録の記録再生用の光ディスクかを区別することができたが、ディスク回転制御用の周期信号の有無、リードインエリアに記録されたアドレス情報の有無、プログラムエリアに記録されたアドレス情報の有無を検出しなければならず、光ディスクの種類を短時間で判別することができないという問題点があった。
また、後者においては、光ディスクに記録されている情報を読み出す光ピックアップを光ディスクの半径方向に一定距離だけ移動させて、光ピックアップにより得られた再生信号からトラッキング誤差信号を生成し、トラッキング誤差信号の個数をカウントして、カウントされたトラッキング誤差信号の個数に基づいて光ディスクの種類を判別することができたが、光ピックアップが一定距離のトラックを移動する間に得られるトラッキング誤差信号の個数をカウントして光ディスクの種類を判別していたため、同じトラックピッチを有する光ディスクの場合、記録再生用の光ディスクか再生専用の光ディスクかを判別することができないという問題点があった。
本発明は、背景技術の有するこのような問題点に鑑みてなされたものであり、その目的とするところは、光ディスクに予め設けられたウォブルの有無を検出することなく、ディスク記録再生装置にローディングされた光ディスクの種類を短時間で判別することができるディスク記録再生装置を提供しようとするものである。
【課題を解決するための手段】
【０００４】
上記目的を達成するため本発明においては、映像音声信号を光ディスクに記録再生するディスク記録再生装置であって、映像音声信号を光ディスクに記録再生する光ピックアップと、前記光ピックアップを光ディスクの半径方向に移動させる移動手段と、光ディスクがディスク記録再生装置にローディングされたとき、前記移動手段により前記光ピックアップを光ディスクの最内周に移動させた後、前記光ピックアップを光ディスクの最内周から外周方向に一定距離移動させて、前記光ピックアップにより光ディスクの最内周から外周方向に一定距離移動した位置の位置情報を読み出す読出手段と、前記読出手段により読み出された位置情報に基づいてディスク記録再生装置にローディングされた光ディスクの種類を判別する判別手段とを備える。
前記判別手段は、前記読出手段により位置情報が読み出された場合、ディスク記録再生装置にローディングされた光ディスクが記録再生用の光ディスクであると判別するようにするとよい。
また、前記判別手段は、前記読出手段により位置情報が読み出されない場合、ディスク記録再生装置にローディングされた光ディスクが再生専用の光ディスクであると判別するようにするとよい。
また、前記判別手段は、前記読出手段により読み出された位置情報が所定の光ディスクの所定の位置情報であるか否かを判別して、ディスク記録再生装置にローディングされた光ディスクの種類を判別するようにするとよい。
これらの手段により、光ディスクに予め設けられたウォブルの有無を検出することなく、ディスク記録再生装置にローディングされた光ディスクの種類を短時間で判別することができる。
【発明の効果】
【０００５】
請求項１記載の発明に係るディスク記録再生装置によれば、光ディスクがディスク記録再生装置にローディングされたとき、光ピックアップを光ディスクの最内周に移動させた後、光ピックアップを光ディスクの最内周から外周方向に一定距離移動させて、光ピックアップにより光ディスクの最内周から外周方向に一定距離移動した位置の位置情報を読み出し、位置情報が読み出された場合、ディスク記録再生装置にローディングされた光ディスクが記録再生用の光ディスクであると判別し、位置情報が読み出されない場合、ディスク記録再生装置にローディングされた光ディスクが再生専用の光ディスクであると判別するとともに、読み出された位置情報が所定の光ディスクの所定の位置情報であるか否かを判別して、ディスク記録再生装置にローディングされた光ディスクの種類を判別するようにしているので、光ディスクに予め設けられたウォブルの有無を検出することなく、ディスク記録再生装置にローディングされた光ディスクが記録再生用の光ディスクであるか、再生専用の光ディスクであるかを短時間で判別することができ、また、その光ディスクがＤＶＤであるか、ＣＤであるかを判別することができる。
請求項２記載の発明に係るディスク記録再生装置によれば、光ディスクがディスク記録再生装置にローディングされたとき、光ピックアップを光ディスクの最内周に移動させた後、光ピックアップを光ディスクの最内周から外周方向に一定距離移動させて、光ピックアップにより光ディスクの最内周から外周方向に一定距離移動した位置の位置情報を読み出し、読み出された位置情報に基づいてディスク記録再生装置にローディングされた光ディスクの種類を判別するようにしているので、光ディスクに予め設けられたウォブルの有無を検出することなく、ディスク記録再生装置にローディングされた光ディスクの種類を短時間で判別することができる。
請求項３記載の発明に係るディスク記録再生装置によれば、光ピックアップにより光ディスクの最内周から外周方向に一定距離移動した位置の位置情報が読み出された場合、ディスク記録再生装置にローディングされた光ディスクが記録再生用の光ディスクであると判別するようにしているので、光ディスクに予め設けられたウォブルの有無を検出することなく、ディスク記録再生装置にローディングされた記録再生用の光ディスクを短時間で判別することができる。
請求項４記載の発明に係るディスク記録再生装置によれば、光ピックアップにより光ディスクの最内周から外周方向に一定距離移動した位置の位置情報が読み出されない場合、ディスク記録再生装置にローディングされた光ディスクが再生専用の光ディスクであると判別するようにしているので、光ディスクに予め設けられたウォブルの有無を検出することなく、ディスク記録再生装置にローディングされた再生専用の光ディスクを短時間で判別することができる。
請求項５記載の発明に係るディスク記録再生装置によれば、光ピックアップにより光ディスクの最内周から外周方向に一定距離移動した位置の位置情報を読み出し、読み出された位置情報が所定の光ディスクの所定の位置情報であるか否かを判別して、ディスク記録再生装置にローディングされた光ディスクの種類を判別するようにしているので、光ディスクに予め設けられたウォブルの有無を検出することなく、ディスク記録再生装置にローディングされた光ディスクがＤＶＤであるか、ＣＤであるかを短時間で判別することができる。
【発明を実施するための最良の形態】
【０００６】
以下、適宜図面を参照しながら本発明を実施するための最良の形態を詳述する。図１は本発明の一実施例のディスク記録再生装置の構成を示すブロック図であり、図２は本発明の一実施例のディスク記録再生装置の動作を示す説明図であり、図３は本発明の一実施例のディスク記録再生装置の動作を示すフローチャートであり、図４は記録再生用の光ディスクの構造を模式的に示す説明図である。
まず、図１の本発明の一実施例のディスク記録再生装置の構成を示すブロック図を基に説明する。
ディスク記録再生装置１は、光ディスク２にレーザ光を照射して映像音声信号を光ディスク２に記録するとともに、光ディスク２にレーザ光を照射してその反射光を検出して映像音声信号を読み出す光ピックアップ３と、光ディスク２を回転させるスピンドルモータ４と、スピンドルモータ４の回転速度をサーボ制御するスピンドルサーボ回路５と、光ピックアップ３により検出されたトラッキング誤差信号に基づいて光ピックアップ３のトラッキングをサーボ制御するトラッキングサーボ回路６と、光ピックアップ３により検出されたフォーカス誤差信号に基づいて光ピックアップ３のフォーカスをサーボ制御するフォーカスサーボ回路７と、光ピックアップ３を光ディスク２の半径方向に移動させるスレッドモータ８と、スレッドモータ４の回転方向と回転速度とをサーボ制御するスレッドサーボ回路９と、光ピックアップ３により読み出された映像音声信号を基準クロックに基づいて同期検出し、アナログ信号の映像音声信号をデジタル信号に変換して、デジタル信号に変換された映像音声信号を復調し、復調された映像音声信号の誤りを訂正し、所定の圧縮方式に基づいて圧縮された映像音声信号を伸張して、元の映像音声信号を復号して、復号された映像音声信号を所定の信号方式に従ったコンポジット信号の映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化し、符号化された映像音声信号をアナログ信号の映像音声信号に変換して映像音声信号を再生するとともに、映像音声信号をデジタル信号に変換して、デジタル信号に変換された映像音声信号を所定の圧縮方式に基づいて圧縮し、圧縮された映像音声信号を光ピックアップ３により光ディスク２に記録する信号処理回路１０と、ディスク記録再生装置１のシステム全体を制御するマイコン１１とで構成されている。
以上のように構成されたディスク記録再生装置について、以下その動作について説明する。
光ディスク２がディスク記録再生装置１にローディングされると、マイコン１１は、スピンドルサーボ回路５に制御信号を送出して、スピンドルモータ４を回転させて光ディスク２を回転させ、スレッドサーボ回路９に制御信号を送出して、スレッドモータ８を回転させ、光ピックアップ３を光ディスク２の内周方向に移動させる（図２（ａ）参照）。そして、光ピックアップ３が光ディスク２の最内周に到達すると、マイコン１１は、スレッドサーボ回路９に制御信号を送出して、スレッドモータ８を逆回転させ、光ピックアップ３を光ディスク２の最内周から外周方向に移動させる（図２（ｂ）参照）。
光ピックアップ３が光ディスク２の最内周から外周方向に一定距離、即ち、光ディスク２に位置情報が記録されている位置に移動すると（図２（ｃ）参照）、マイコン１１は、トラッキングサーボ回路６とフォーカスサーボ回路７とに制御信号を送出して、光ピックアップ３のトラッキングとフォーカスとをサーボ制御し、光ピックアップ３により光ディスク２の最内周から外周方向に一定距離移動した位置の位置情報を読み出す（図４参照）。そして、マイコン１１は、光ディスク２の最内周から外周方向に一定距離移動した位置の位置情報が光ピックアップ３により読み出されたか否かを判断して、ディスク記録再生装置１にローディングされた光ディスク２の種類を判別する。光ディスク２に予めランドプリピットが用意されており、光ディスク２の最内周から外周方向一定距離に移動した位置の位置情報が光ピックアップ３により読み出された場合、マイコン１１は、ディスク記録再生装置１にローディングされた光ディスク２が記録再生用の光ディスクであると判別する。また、光ディスク２にランドプリピットが予め用意されておらず、光ディスク２の最内周から一定距離外周方向に移動した位置の位置情報が光ピックアップ３により読み出されない場合、マイコン１１は、ディスク記録再生装置１にローディングされた光ディスク２が再生専用の光ディスクであると判別する。
また、マイコン１１は、光ピックアップ３により読み出された位置情報が所定の光ディスクの所定の位置情報であるか否かを判別して、ディスク記録再生装置１にローディングされた光ディスク２の種類を判別する。例えば、光ディスク２の最内周から外周方向に移動した半径２５ｍｍの位置の位置情報として、１６進数の３９Ｄ７５Ｈが所定の誤差範囲内で読み出された場合、ディスク記録再生装置１にローディングされた光ディスクがＤＶＤであると判別され、光ディスク２の最内周から外周方向に移動した半径２５ｍｍの位置の位置情報として、時間００：００：００が所定の誤差範囲内で読み出された場合、ディスク記録再生装置１にローディングされた光ディスクがＣＤであると判別される。なお、光ディスクがＤＶＤの場合、光ディスクの半径２４ｍｍ付近の位置では、位置情報が１６進数で３００００Ｈとなっていて、光ディスクの４０ｍｍ付近の位置では、位置情報が１６進数で１０００００Ｈとなっている。
これにより、光ディスク２がディスク記録再生装置１にローディングされたとき、光ディスク２に予め設けられたウォブルの有無を検出することなく、光ピックアップにより光ディスクの最内周から外周方向に一定距離移動した位置の位置情報を読み出し、読み出された位置情報に基づいてディスク記録再生装置１にローディングされた光ディスク２が書き換え可能な記録再生用のＤＶＤ−ＲＷであるか、書き込み可能な記録再生用のＤＶＤ−Ｒであるか、再生専用のＤＶＤ−ＲＯＭであるか、書き換え可能な記録再生用のＣＤ−ＲＷであるか、書き込み可能な記録再生用のＣＤ−Ｒであるか、再生専用のＣＤ−ＲＯＭであるか等、光ディスクの種類を短時間で判別することができる。
また、図３の本発明の一実施例のディスク記録再生装置の動作を示すフローチャートを基に説明する。
光ディスクがディスク記録再生装置にローディングされると、ステップＳ１からステップＳ２に進み、ステップＳ２で、光ピックアップが光ディスクの内周方向に移動され、ステップＳ３に進む。
ステップＳ３で、光ピックアップが光ディスクの最内周に到達したか否かが判断され、光ピックアップが光ディスクの最内周に到達した場合、ステップＳ４に進み、光ピックアップが光ディスクの最内周に到達していない場合、ステップＳ２に戻って、ステップＳ２からのステップを繰り返す。
ステップＳ４で、光ピックアップが光ディスクの外周方向に移動され、ステップＳ５に進む。
ステップＳ５で、光ピックアップが最内周から外周方向に一定距離移動したか否かが判断され、光ピックアップが最内周から外周方向に一定距離移動した場合、ステップＳ６に進み、光ピックアップが最内周から外周方向に一定距離移動していない場合、ステップＳ４に戻って、ステップＳ４からのステップを繰り返す。
ステップＳ６で、光ピックアップにより光ディスクの最内周から外周方向に一定距離移動した位置の位置情報が読み出され、ステップＳ７に進む。
ステップＳ７で、光ピックアップにより位置情報が読み出されたか否かが判断され、光ピックアップにより位置情報が読み出された場合、ステップＳ８に進み、光ピックアップにより位置情報が読み出されない場合、ステップＳ９に進む。
ステップＳ８で、ディスク記録再生装置にローディングされた光ディスクが記録再生用の光ディスクであると判別され、ステップＳ１０に進む。
ステップＳ９で、ディスク記録再生装置にローディングされた光ディスクが再生専用の光ディスクであると判別され、ステップＳ１３に進んで処理を終了する。
ステップＳ１０で、光ピックアップにより読み出された位置情報がＤＶＤの所定の位置情報であるか否かが判断され、光ピックアップにより読み出された位置情報がＤＶＤの所定の位置情報である場合、ステップＳ１１に進み、光ピックアップにより読み出された位置情報がＤＶＤの所定の位置情報でない場合、ステップＳ１２に進む。
ステップＳ１１で、ディスク記録再生装置にローディングされた光ディスクがＤＶＤであると判別され、ステップＳ１３に進んで処理を終了する。
ステップＳ１２で、ディスク記録再生装置にローディングされた光ディスクがＣＤであると判別され、ステップＳ１３に進んで処理を終了する。
【図面の簡単な説明】
【０００７】
【図１】本発明の一実施例のディスク記録再生装置の構成を示すブロック図である。
【図２】本発明の一実施例のディスク記録再生装置の動作を示す説明図である。
【図３】本発明の一実施例のディスク記録再生装置の動作を示すフローチャートである。
【図４】記録再生用の光ディスクの構造を模式的に示す説明図である。
【符号の説明】
【０００８】
１  ディスク記録再生装置
２  光ディスク
３  光ピックアップ
４  スピンドルモータ
５  スピンドルサーボ回路
６  トラッキングサーボ回路
７  フォーカスサーボ回路
８  スレッドモータ
９  スレッドサーボ回路
１０  信号処理回路
１１  マイコン
【図１】
2005158180.tif 000003
【図２】
2005158180.tif 000004
【図３】
2005158180.tif 000005
【図４】
2005158180.tif 000006